(57)【要約】【課題】  チャックを利用した再封可能な包装袋において、チャックの嵌合を解除し易く、簡易な構造で、かつ収納物の出し入れに支障がなく、当初の物品の収納方法にも限定のない包装袋の提供。【解決手段】  表面シート１０と背面シート１１からなる袋本体の上部開口部内面に設けられたチャック１６を被覆するリップ１２が、背面シート１１から延伸して設けられ、該リップ１２は接着部材１７又は側部の熱融着により表面シート１０の表面に貼着されてチャック１６を封鎖する包装袋であって、リップ１２には易切除手段としてのミシン目１８が、上部開口部における表面シート上端１０ａとはずれた位置に設けられている再封可能な包装袋１。【選択図】図１
2019142540.tif 000002
【特許請求の範囲】
【請求項１】
表面シートと背面シートからなる袋本体の上部開口部内面に設けられたチャックを被覆するリップが、背面シートから延伸して設けられ、該リップは接着部材又は側部の熱融着により表面シートの表面に貼着されてチャックを封鎖する包装袋であって、リップには易切除手段が、上部開口部における表面シート上端とはずれた位置に設けられていることを特徴とする再封可能な包装袋。
【請求項２】
袋本体の外側又は内側に収納ポケットが設けられていることを特徴とする請求項１に記載の再封可能な包装袋。
【請求項３】
前記チャックを構成する凸条テープ又は凹条テープの内、背面シート側に設けられた一方のテープはフランジ幅が上方の片側のみ拡張されていることを特徴とする請求項１又は２に記載の再封可能な包装袋。
【請求項４】
前記背面シートに連続して上方に延伸するヘッダーが設けられ、該ヘッダーの下端封着部に前記リップが設けられていることを特徴とする請求項１〜３のいずれか一項に記載の再封可能な包装袋。
【請求項５】
前記易切除手段はミシン目であることを特徴とする請求項１〜４のいずれか一項に記載の再封可能な包装袋。
【請求項６】
表面シート及び背面シートには銀系抗菌剤が配合されていることを特徴とする請求項１〜５のいずれか一項に記載の再封可能な包装袋。
【発明の詳細な説明】
【技術分野】
【０００１】
本発明は、各種物品の包装袋に係り、特に、封止手段としてチャックを用いた再封可能な包装袋に係る。
【背景技術】
【０００２】
各種物品の包装袋は、各種物品を収納し、開口部を封止して収納物を保護すると共に、保管・輸送や展示・陳列などに供するために用いられる。この場合、包装袋を開封し、開口部から収納物を取り出した後、包装袋は不要物として廃棄されるだけでなく、収納物の一部を取り出し、残った収納物を再度包装袋に収納し、開口部を再封して保存することにも使用されている。特に、衛生マスクなどの衛生用品では複数枚が一つの包装袋に収納されることが多く、開封後、着用するために一枚ずつ取り出し、残品は汚染を防止するために、包装袋に収納し再封して保存される。その他、乾物やプリント用紙などのように、湿度によって変質したりや劣化したりする物品が複数収納される場合では、必要数量のみ取り出して、残品は同様にして再封して保存されることが多い。
【０００３】
上記のような再封可能な包装袋における封止手段として、プラスチック製の凸条テープと凹条テープとを嵌合させて開口部を封止するチャックを用いることが行われている。チャックは両テープの嵌合と離脱とを自在に行うことができ、チャックを用いることにより包装袋の開口部の開閉が簡易にかつ確実にできるため、再封可能な包装袋における封止手段としてよく用いられている。しかし、チャックによる開口部の封止は、開閉を簡易に行うことができるため、展示や陳列に供する場合には、包装袋が開封され、収納物である商品に悪意の操作が加えられ易い。そのため、このような包装袋においては、開封の防止や、開封されてもそのことが判別できるように、封止手段であるチャックにさらに封鎖手段が付与されている。
【０００４】
図１０に従来のチャックを利用した再封可能な包装袋７を示す。この包装袋７は表面シート７０と背面シート７１の両側部７４と底部７３が接合され収納部２を有する袋本体を形成しており、上部開口部にはチャック１６が設けられ、その上方には、チャック１６が開封されて悪意の操作が加えられるのを防ぐ封鎖手段として、封鎖部７５が設けられている。この封鎖部７５には、チャック１６と並行して両側部まで至るミシン目７８と両側部に切り込み７９が設けられている。この包装袋７を開封するには、ミシン目７８と切り込み７９を利用して図９（ｃ）に示すように、封鎖部７５を切除してから、チャック１６の凸条テープ１６ａと凹条テープ１６ｂとの嵌合を解除し、両テープを離脱させ、チャックを開いて開封する。この場合、切り欠き７９とミシン目７８により封鎖部７５を切除した後の開口部の切除端部７８ａと７８ｂとの間を、指先で開いて各テープの嵌合を解除する作業は簡単ではない。この場合、表面シート７０と背面シート７１とのそれぞれに設けられるミシン目７８の位置をずらすことにより、切除端７８ａ、７８ｂの位置をずらし、指先でチャックを開き易くすることも考えられるが、包装袋の製造に際して、表面と背面のミシン目の位置を、チャックを開きや易くなるほどずらした位置に設けることは難しく、実際の製造で行うことは困難である。
【０００５】
特許文献１には、チャック(ジッパー)を利用した再封可能な包装袋が示されており、この包装袋では、再封可能な封止手段であるチャックをさらに封鎖部(封止部)で封鎖し、包装袋を開封するにはこの封鎖部(封止部)を切除した後、チャックの嵌合を解除することにより行われる（本文献の段落００３７〜００４６及び図１〜３を参照）。しかし、この包装袋では図９と同様に封鎖部を切除する方法であり、同様にチャックの嵌合を解除する作業は容易ではない。
【０００６】
また、上記した包装袋では、封止部はヘッダーを兼ねており、このヘッダーにはフック孔(吊り下げ手段)が設けられていることが多く、開封に当たって、このヘッダーを兼ねた封止部を残すことも提案されている。特許文献２には、封止部であるヘッダーを切除するのではなく、ヘッダー部下部近傍の表面フィルムのみに２条の切込みを入れ、帯状に表面フィルムのみを切除した開口部を形成し、この開口部を利用してチャックの開閉を行い、包装袋の開封と再封を行うヘッダー付包装袋が示されている（本文献の特許請求の範囲及び図１、２を参照）。この包装袋では、前記した包装袋よりは開封し易いとはいえ、帯状に切除する開口部の幅には限界があり、チャック嵌合の解除作業を容易にすることは難しかった。
【０００７】
そして、上記のいずれの包装袋も、チャックとそれを封鎖する封鎖部は予め設けられているために、物品を収納した後に、チャックを閉じて封鎖部を設けることはできず、当初の物品の収納は底部から収納する底入れに限定される。そのため、収納物の性状によっては、収納後の底部の接合封止作業に支障を生じ、収納物に制限を生ずることがある。
【先行技術文献】
【特許文献】
【０００８】
【特許文献１】特開２００５−２２７２３号公報
【特許文献２】特開２００８−２３０６６６号公報
【発明の概要】
【発明が解決しようとする課題】
【０００９】
本発明が解決しようとする課題は、チャックを利用した再封可能な包装袋において、チャックの嵌合を解除し易く、簡易な構造で、かつ収納物の出し入れに支障がなく、当初の物品の収納方法にも限定のない包装袋を提供することである。
【課題を解決するための手段】
【００１０】
本発明の再封可能な包装袋は、表面シートと背面シートからなる袋本体の上部開口部内面に設けられたチャックを被覆するリップが背面シートから延伸して設けられ、該リップは接着部材又は側部の熱融着により表面シートの表面に貼着されてチャックを封鎖する包装袋であって、リップには易切除手段が、上部開口部における表面シート上端とはずれた位置に設けられていることを特徴とする。
【００１１】
また、上記の再封可能な包装袋において、袋本体の外側又は内側に収納ポケットが設けられていることが好ましく、また、前記チャックを構成する凸条テープ又は凹条テープの内、背面シート側に設けられた一方のテープはフランジ幅が上方の片側のみ拡張されていることが好ましい。
【００１２】
また、前記背面シートに連続して上方に延伸するヘッダーが設けられ、該ヘッダーの下端封着部に前記リップが設けられている態様も好ましく、さらに、前記易切除手段はミシン目であることが好ましい。そして、前記表面シート及び背面シートには銀系抗菌剤が配合されていることも好ましい。
【発明の効果】
【００１３】
本発明の包装袋では、チャックを封鎖するリップは接着部材又は側部の熱融着により表面シートに貼着されているため、この貼着を剥がして封鎖を解き、ついでチャックを開くことで開封できるが、さらに、リップに易切除手段が施されているため、収納物の出し入れにリップが邪魔になる場合には、この易切除手段を利用して、リップを切除することができる。そして、リップを切除しても、易切除手段が上部開口部における表面シート上端部とはずれた位置に配置されているため、リップの切除端部と表面シートの上端部とがずれた位置となるために、チャックの嵌合を指先で解除して、チャックを開くことが容易にできる。
【００１４】
また、収納ポケットを設けた包装袋は、衛生マスクの包装袋として好適に用いられ、未使用の衛生マスクを再封して保管できるだけでなく、使用中の衛生マスクを収納ポケットに保管することで、未使用の衛生マスクとは分離して保管することができるため、衛生マスクの包装・保管袋として好ましく用いることができ、袋本体を構成するシートに銀系抗菌剤を配合することで、収納部での細菌による汚染の防止も図ることができる。
【００１５】
そして、フランジ幅が上方の片側のみ拡張されたテープによるチャックを用いた場合には、拡張されたフランジを指先で掴むことができ、チャックの開閉操作をよりし易くすることができると共に、包装袋を吊り下げるフック孔を拡張されたフランジ部分に設けることにより、フック孔の強度補強もできる。
【００１６】
さらに、リップによるチャックの封鎖は、接着部材又は側部の熱融着による貼着で行うため、物品の収納を、チャックを開いて収納し、次いでリップを表面シートに貼着することで行うことができるため、物品の収納は底入れに限定されることがなく、前記したような問題も発生しない。
【図面の簡単な説明】
【００１７】
【図１】リップを接着部材により表面シートの表面に貼着した再封可能な包装袋の正面模式説明図と断面模式説明図。
【図２】リップの側部を熱融着により表面シートの表面に貼着した再封可能な包装袋の正面模式説明図と断面模式説明図。
【図３】袋本体の外側に収納ポケットを設けた包装袋の上部の断面模式説明図。
【図４】上記収納ポケットの形状の異なる実施例の断面模式説明図。
【図５】図４に示す収納袋にマスクを収納した状態を示す模式説明図。
【図６】袋本体の内側に収納ポケットを設けた包装袋の上部の断面模式説明図。
【図７】通常のチャックとフランジ幅を上方の片側のみ拡張したチャックの断面模式説明図。
【図８】フランジ幅を拡張したチャックを取り付けた包装袋におけるチャックとリップの断面模式説明図。
【図９】ヘッダーを設けた包装袋の断面模式説明図。
【図１０】従来のチャックを用いた再封可能な包装袋の模式説明図。
【発明を実施するための形態】
【００１８】
本発明の実施の形態に付、以下、図を基に詳細な説明を行う。図１に本発明の再封可能な包装袋１を模式的に示す。図１（ａ）は平面模式説明図であり、同図（ｂ）は断面模式説明図である。包装袋１の袋本体は前面シート１０と背面シート１１となら成り、底部１３と両方の側部１４は封着され、上部を開口部とする袋状となっている。封着は熱融着するか、接着剤にて接着することでもよい。本図に示す実施例では、前面シート１０と背面シート１１とを底部１３にて封着した例を示しているが、これらのシートは連続したシートを用いて、底部１３で折り返し、両方の側部１４を封着して袋本体を形成してもよい。
【００１９】
包装袋１の上部開口部の内面には、凸条テープ１６ａと凹条テープ１６ｂとから成るチャック１６が設けられている。図１は両テープが嵌合され、チャック１６は閉じられた状態を示している。このチャック１６を被覆して封鎖するリップ１２が、背面テープ１１から延伸して封鎖部１５を形成して設けられている。図１では、リップ先端１２ａの近傍に設けられた接着部材１７により、リップ１２は表面シート１０の表面に貼着され、チャック１６は封鎖される。このリップ１２の貼着は、図２に示す包装袋１ａのように、リップ１２の両方の側部１４ａを熱融着することでも行うことができる。
【００２０】
開封に際しては、リップ１２を表面シート１０から剥がして、凸条テープ１６ａと凹条テープ１６ｂとの嵌合を解除して、チャック１６を開いて開封し、収納物を取り出すことができ、また、収納物の一部を内部に残して、各テープを嵌合してチャック１６を閉じて再封することができる。リップ１２には、易切除手段としてのミシン目１８が施されており、収納物の出し入れに邪魔にならないように、ミシン目１８を利用して、図１（ｃ）に示されるように、リップ１２を切除することができる。
【００２１】
さらに、リップ１２に施される切除手段としてのミシン目１８は、前面シート上端１０ａとはずれた位置に施されており、リップ１２をこのミシン目１８より切除した場合、この切除により生じた背面シート１１側の切除端１８ａと前面シート上端１０ａとはずれた場所に位置するため、これらの端部の間に指先を入れて、凸条テープ１６ａと凹条テープ１６ｂとの嵌合を解除して、チャック１６を開くことが容易にできる。ミシン目１８は前面シート上端１０ａとは少なくとも５ｍｍ以上、好ましくは８ｍｍ以上ずらした位置に施されることが好ましい。
【００２２】
包装袋１は、収納物に対する悪意の操作を防ぐためのチャック１６の封鎖は、リップ１２を接着部材１７により表面シート１０の表面に貼着し、図２に示す包装袋１ａでは、リップ１２の両方の側部１４ａの熱融着により貼着することで行うことができる。そのため、物品の収納はチャック１６開いて収納し、収納後、チャック１６を閉じた後、リップ１２を接着又は融着にて表面シートの表面に貼着して封鎖することができる。また、チャック１６を閉じ、リップ１２によるチャック１６の封鎖を行った後、底部１３の封着を行う前に底部より物品を収納し、その後に封着を行う、いわゆる底入れによる収納も行うことができる。図２では、包装袋１ａの底部１３が封着されず開いた状態を示し、チャック１６は閉じられ、リップ１２の両方の側部１４ａは熱融着され、チャック１６は封鎖されている。この状態で底入れによる収納を行うことができ、物品の収納後、底部１３を熱融着などにより封着し、収納品の包装を行う。いずれの場合も、チャック１６を開いて収納物の一部を取出して使用した後、未使用のものを包装袋に収納し、チャック１６を閉じることで再封可能となっている。
【００２３】
上記のように、包装袋１又は１ａにおけるチャック１６の被覆封鎖は、リップ１２を接着部材１７又はリップ１２の両方の側部１４ａの熱融着により表面シート１０の表面に貼着することで行っており、接着部材１７からの剥離や熱融着部での切断は容易であり、リップ１２の貼着は剥離可能となっているが、収納物に対する操作を行うために、一旦、貼着を剥離した場合には、チャック１６の開閉操作とは異なり、操作の痕跡が残り、悪意の操作の有無を検出することは可能である。
【００２４】
図３と図４は、前面シート１０と背面シート１１とから成る袋本体の外側に、収納部２に隣接して、ポケットシート２０又は２１による収納ポケット３が設けられた包装袋４又は５上部の断面模式説明図である。収納ポケット３の形状は、ポケットシート上端２０ａが前面シート上端１０ａと同じ高さ（図３）であっても、ポケットシート上端２１ａが前面シート上端１０ａより低い高さ（図４）であってもよい。これらの包装袋４又は５の収納部２の上部開口部には凸条テープ１６ａと凹条テープ１６ｂとが設けられ、これらのテープから成るチャックと前面シート上端１０ａとポケットシート上端２０ａ又は２１ａとを被覆し封鎖するリップ１２が背面シート１１に連続して設けられている。そして、リップ１２には易切除手段であるミシン目１８が施され、さらにリップ１２には接着部材１７が設けられ、この接着部材１７によりリップ１２はポケットシート２０又は２１の表面に貼着されチャックを封鎖する。
【００２５】
これらの包装袋でも前記したと同様に、リップ１２は収納物の出し入れに邪魔となる場合には、ミシン目１８より切除される。ミシン目１８は表面シート上端１０ａの位置とはずれた位置に設けられているために。リップ１２の切除後、凸条テープ１６ａと凹条テープ１６ｂとの嵌合の解除は容易に操作できる。
【００２６】
図３、４に示される収納ポケット付き包装袋は、衛生マスクの包装に好ましく使用される。図５は図４に示した包装袋５に衛生マスクを収納した包装袋５ａを示す。収納部２には未使用の衛生マスク３０が収納され、使用中の衛生マスク３１は収納ポケット３に収納され、リップは切除され、チャック１６は開かれた状態を示し、凸条テープ１６ａと凹条テープ１６ｂの嵌合は解除されている。未使用の衛生マスク３０は、このように収納部２に収納された後、凸条テープ１６ａと凹条テープ１６ｂとを嵌合してチャック１６を閉じて保存される。使用中の衛生マスク３１は収納ポケット３に収納され、未使用の衛生マスク３０とは分離して、再使用に備えて汚染を防止しながら保存される。チャック１６が閉じられて保存中の未使用の衛生マスクマスク３０の取り出しに際しては、表面シート上端１０ａとミシン目の切除端１８ａとはずれた位置となっているため、凸条テープ１６ａと凹条テープ１６ｂとの嵌合を指先で容易に解除し開くことができる。
【００２７】
図６には、前面シート１０と背面シート１１とからなる袋本体の内部に収納ポケットを設けた包装袋６を示す。包装袋６ではポケットシート２２により、収納部２に隣接して収納ポケット３が設けられている。ポケットシート上端２２ａは凸条テープ１６ａと凹条テープ１６ｂとの嵌合を妨げないように、それらが設けられている位置より低く設定されている。そして、前記した包装袋１、４、５と同様にリップ１２には、同様の位置にミシン目１８が設けられ、切除可能となっている。そしてリップ１２を切除した後でも、包装袋６では収納ポケット３は、凸条テープ１６ａと凹条テープ１６ｂとを嵌合させることにより、収納部２と共に再封することができる構造となっている。そして、前面シート上端１０ａとミシン目１８の位置は位置をずらして設置されているため、リップ１２を切除した後でも、前記テープの嵌合を容易に解除することができる。このタイプの包装袋も衛生マスクの包装に好ましく使用される。
【００２８】
図７は通常のチャック１６とフランジ幅を上方の片側のみ拡張した拡張フランジチャック４１の断面模式説明図である。通常のチャック１６では、凸条テープ１６ａと凹条テープ１６ｂとはいずれもテープ幅はＷ0となっており、凸条や凹条以外のフランジ幅も同じであるが、拡張フランジチャック４１では上方の片側のみフランジ幅が拡張されており、テープ幅はＷ1となっており、上方の拡張フランジ４１ｃのフランジ幅がＷ1−Ｗ0だけ拡張されている。
【００２９】
上記の拡張フランジ４１を設けた包装袋８を図８に示した。包装袋８では、背面シート１１にフランジ幅が拡張された凸条テープ４１ａが設けられ、通常のフランジ幅の凹条テープ４１は前面シート１０に設けられ、収納部２の開口部を再封可能としている。この包装袋８では、開封に当たり、リップ１２をミシン目より切除した後、凸条テープ４１ａと凹条テープ４１ｂとの嵌合を解除するのに、拡張フランジ４１ｃが存在するために操作が容易にできる。尚、図８に示した例では、拡張フランジを凸条テープに設けて背面フィルムに配置したが、拡張フランジを凹条テープに設けて、背面フィルム側に設けてもよい。前記した各包装袋においても、凸条テープを背面フィルム側に設けた例を示したがそれらの包装袋でも同様に、凸条テープと凹条テープの配置は特に限定されない。
【００３０】
図９に示される包装袋９は、背面シート１１と連続するヘッダー５０が設けられており、背面シート１１を伸ばし、折り曲げて下端封着部５１で封着することで設けられる。また、別途作成したヘッダー５０を背面シート１１の先端に熱融着や接着剤により取り付けて設けることでもよい。下端封着部５１は熱融着あるいは接着剤による接着により構成され、ここにリップ５２が設けられている。リップ５２は下端封着部５１の近傍に易切除手段としてのミシン目５３が施され、先端部には接着部材１７が設けられおり、リップ５２には表面シート１０の表面に貼着される。そして、開封に当たっては、図９（ｂ）に示すようにミシン目５３を利用してリップ５２は切除することができる。ミシン目５３が施される位置は、表面シート上端１０ａの位置とはずらして施され、リップ１２の切除後、凸条テープ１６ａと凹条テープ１６ｂの嵌合を解除する操作は容易にできる。このヘッダー５０には、尚、本図では、下部封着部５１は概念的に示したものであり、熱融着や接着により構成されおり、実際にはヘッダーを構成するシートは相互に密着して融着されたり接着されたりした構成となっている。このヘッダー５０には、収納商品の名称等を表示するラベルの封入や、フック孔等の吊り下げ陳列手段が設けられる。
【００３１】
本発明の包装袋を構成するシートとしては、ポリエチレン、ポリプロピレン、ポリスチレン、ポリエチレンテレフタレート、ポリ塩化ビニル、ポリ塩化ビニリデン、ポリアミド、エチレン・酢酸ビニル共重合体、エチレン・ビニルアルコール共重合体などのプラスチックフィルム、紙、及びこれらの複合シート、並びにアルミ箔などとの複合シートを例示することができる。これらのシートを加工して、袋本体の側部や底部、ヘッダーの下端封着部などを構成するには接着剤による接着や熱融着など公知の方法で行うことができ、さらに、ガゼット袋や角底袋としてもよい。
【００３２】
リップの先端近傍に設けられ、表面シートの表面に貼着するための接着部材に用いられる接着剤としては、粘着剤が用いられる。粘着剤は感圧接着剤とも称されるように、圧着することで貼着できるため、チャック封鎖するために好ましく用いられる。粘着剤としては、ゴム系、アクリル系、シリコーン系などの公知の粘着剤組成物を用いることができ、このような粘着剤組成物をリップの表面に帯状に塗布したり、粘着剤組成物を基材に塗布した粘着テープを貼付したりすることにより、リップの表面に帯状の粘着部材を設けることができる。
【符号の説明】
【００３３】
１、１ａ  包装袋                      ２  収納部
３  収納ポケット                      ４、５、６  包装袋（収納ポケット付）
７  包装袋（従来品）                  ８  包装袋(拡張フランジチャック)
９  包装袋（ヘッダー付)
１０、７０  前面シート                １１、７１  背面シート
１０ａ  前面シート上端
１２  リップ                          １２ａ  リップ先端
１３、７３  底部                      １４、７４  側部  
１４ａ  側部（リップ）                １５、７５  封鎖部
１６  チャック                        １６ａ  凸条テープ
１６ｂ  凹条テープ                    １７  接着部材
１８、７８  ミシン目（易切除手段）    １８ａ、１８ｂ、７８ａ、７８ｂ  切除端
２０、２１、２２  ポケットシート      
２０ａ，２１ａ、２２ａ  ポケットシート上端
３０  衛生マスク(未使用)              ３１  衛生マスク(使用中)
４１  拡張フランジチャック            ４１ａ  凸条テープ(拡張フランジ付)
４１ｂ  凹条テープ                    ４１ｃ  拡張フランジ
５０  ヘッダー                        ５１  下端封着部
５２  リップ                          ５３  ミシン目（易切除手段）
５３ａ  切除端  
Ｗ0  テープ幅（通常チャック）         Ｗ1  テープ幅（拡張フランジチャック）
【図１】
2019142540.tif 000003
【図２】
2019142540.tif 000004
【図３】
2019142540.tif 000005
【図４】
2019142540.tif 000006
【図５】
2019142540.tif 000007
【図６】
2019142540.tif 000008
【図７】
2019142540.tif 000009
【図８】
2019142540.tif 000010
【図９】
2019142540.tif 000011
【図１０】
2019142540.tif 000012